(57)【要約】【課題】  既存レジカウンタ１の天板４に載置して、その上に載置された買い上げ商品の入ったかご２を軽く手元に引き寄せることができるレジカウンタの滑り補助具５を提供する。【解決手段】  全体が矩形で薄い板様の支持部材６と支持部材の上面に前後方向と直交して平行に配置された回転自在な複数の支軸７と、前後方向両端部に位置する支軸７に掛けまわしたネットベルト８を備え、ネットベルトが支軸との接触で移動自在とする。  支軸７の両端にベアリング１８を設け、これらのベアリングを支持部材６の左右の側壁９，１０へ着脱容易に固定した構造は好ましい。また、支軸７の表面でネットベルト８との接触面に、弾性材（チューブ２０）を巻きつけることもある。【選択図】          図３
0003116213.tif 000002
【実用新案登録請求の範囲】
【請求項１】
全体が矩形で薄い板様の支持部材と支持部材の上面に前後方向と直交して平行に配置された回転自在な支軸と前後方向両端部に位置する支軸に掛けまわしたネットベルトを備え、ネットベルトが支軸との接触で移動自在としてあることを特徴としたレジカウンタの滑り補助具。
【請求項２】
支持部材は、左右の側壁を備え、支軸は、それぞれが両端にベアリングを備え、これらのベアリングを左右の側壁へ着脱容易に固定することにより支持部材に取り付けられていることを特徴とした請求項１に記載のレジカウンタの滑り補助具。
【請求項３】
支軸の表面でネットベルトとの接触面には、弾性材が巻きつけられていることを特徴とした請求項１又は２に記載のレジカウンタの滑り補助具。
【請求項４】
支軸に巻き付けた弾性材の表面にネットベルトの網目と係合する突起が一体に形成されていることを特徴とした請求項１〜３のいずれか一つに記載のレジカウンタの滑り補助具。
【請求項５】
支持部材の左右側壁に対する支軸の配置を前方から後方へ低くすることにより、ネット上面を前方から後方へ傾斜させてあることを特徴とした請求項１〜４のいずれか一つに記載のレジカウンタの滑り補助具。
【請求項６】
支軸の直径を前方から後方へ小さくすることにより、ネット上面を前方から後方へ傾斜させてあることを特徴とした請求項１〜４のいずれか一つに記載のレジカウンタの滑り補助具。
【請求項７】
支軸の回転をネットベルトの上面が後方へ移動する方向に制限する一方向回転クラッチを設けてあることを特徴とした請求項１〜６のいずれか一つに記載のレジカウンタの滑り補助具。
【請求項８】
支持部材に対し支軸は、支軸両端のベアリングをそれぞれ支持部材の左右側壁の上辺に設けた半円形受け部に載置し、上方から半円形抑え具を当て付けてこの抑え具を支持部材へ着脱容易に固定することにより取り付けられていることを特徴とした請求項１〜７のいずれか一つに記載のレジカウンタの滑り補助具。
【考案の詳細な説明】
【技術分野】
【０００１】
スーパーマーケット、コンビニエンスストアなど大型小売店におけるレジカウンタに配置する滑り補助具に関する。
【背景技術】
【０００２】
大型小売店のレジカウンタでは、毎日多数の商品が取り扱われる。買い上げ商品は多くの場合、店備え付けの買い物かご（以下、かご）に入れられ、客によりレジカウンタ１（図１）の受け入れ側Ａに運ばれる。レジカウンタ１では多くの場合、レジ一台につき一人の従業員が、Ｂの位置としたかご２から順次商品を取り出してバーコードリーダー３にかけ、価格が読み取られたことを確認して、Ｃの位置に準備した空のかご２にこの買い上げ商品を移し変える作業を行う。そして、客一人分の前記操作が終了すると（図１の状態）、代金を受け取りレジスターに収め、ついで、次の客の買い上げ商品の処理に移る。このとき、まず、レジカウンタ１の前記Ｃの位置にあったかご２は前の客が持ち去っているので、Ｂの位置にあり、移し変えによって空になっているかご２をＣの位置に移動し、ついで、Ａの位置にあったかご２をＢの位置に引き寄せる。しかし、Ａの位置にあったかご２をＢの位置に引き寄せる操作は、買い上げ商品を満載したかご２を、合成樹脂板やステンレス鋼板で形成されたカウンタ天板４との摩擦に打ち勝って移動させるので、力のいる作業となる。これを何十回も繰り返すと、レジカウンタの従業員は疲れ、客に対して笑顔を忘れた応対となってしまう。
このような事態を解決するために、特許文献１のレジカウンタでは、前記Ａの位置からＢの位置へいたるレジカウンタの天板を受け入れ側から送り出し側ヘ低くなる傾斜面に形成している。これにより、かご２を引き寄せる際の力は軽減されるが、充分とはいえない。また、特許文献２のレジカウンタは、天板相当部分を回転テーブルにしてかご２の移動を軽くしている。しかし、回転テーブルは実際に使用できる領域に比べて全体の面積が大きく、設置にスペースを要する。さらにこの公報には、カウンタの天板相当部分を動力によるコンベアベルトとし、従業員の足ふみスイッチなどで操作される構造も紹介されている（段落０００４）。しかし、動力を用いるものは高価であるし、既存のレジカウンタを取り替える必要がある。
【０００３】
【特許文献１】特開平１１−１０３９８７号公報
【特許文献２】特開２０００−１４９１３９号公報
【考案の開示】
【考案が解決しようとする課題】
【０００４】
既存レジカウンタの天板に載置して、その上に載置された買い上げ商品の入ったかごを軽く手元に引き寄せることができるレジカウンタの滑り補助具を提供すること。
【課題を解決するための手段】
【０００５】
全体が矩形で薄い板様の補助具とする。大きさは、レジカウンタの天板に載置できる程度とする。支持部材と支軸及びネットベルトで構成する。支持部材は、矩形で薄い板様とする。支軸は支持部材の上面に前後方向（受け入れ側が前、送り出し側が後）と直交させて平行に配置する。支軸は両端にベアリングなどを備えて軽く回転する回転自在で軸支する。前後に配置された回転自在な支軸の、前後方向両端部に位置する支軸にネットベルトを掛けまわし、ネットベルトを支軸との接触で移動自在にする。
【考案の効果】
【０００６】
支軸に支えられたネットベルトは、支軸の回転で軽く移動し、その上に載置されたかごを軽く引き寄せることができる。構造が簡単で、且つ、滑り補助具として既存のレジカウンタの天板に載置して使用できるので、レジ環境を安価に改善できる。
【考案を実施するための最良の形態】
【０００７】
〔実施例１〕
図２は、滑り補助具５を配置したレジカウンタ１であり、既存のレジカウンタと同様にＡ，Ｂ，Ｃの位置が設定され、ＡからＢ個所へのカウンタ天板４に滑り補助具５が載置されている。買い上げ商品を入れたかご２はこの滑り補助具５の上面に載置されている。図２は前記図１の次の操作段階であり、前の客の処理がおわり、Ｂ個所にあった空のかご２をＣの位置へ移し替えた状態である。従業員はこれからＡ個所にあるかご２をバーコードリーダー３側に引き寄せる。
【０００８】
滑り補助具５は図３に示すように、全体が矩形をした板様であり、この実施例では、前方が厚く、後方が薄く構成されて、上面が前方から後方へ下り傾斜となっている。滑り補助具５は、図４イ、ロ、ハに示すように、支持部材６と支軸７（この実施例において２０本）及びネットベルト８を備える。
支持部材６は頑丈な鋼板のプレス加工品であり、この実施例では左右両側に側壁９，１０を備えた箱状となっている。箱状の底板には水洗いに便利なように大きな抜き孔１１が形成されている。
【０００９】
支持部材６の左右の側壁９，１０の上辺には図４イ、図５のように、２０個の半円形受け部１２が等間隔にそれぞれ形成されており、また、この部分に対応した半円形部１４を有する半円形抑え具１３がそれぞれ付属している。半円形受け部１２に半円形抑え具１３の半円形部１４を対応させると、形成された円形空間に支軸７両端のベアリング１８（後述）を配置して固定することができる。半円形部１４には図６のように、内側に突出する爪１５が２個所に形成されていて、支持部材６に固定した支軸７が軸方向にずれ動くのを防止することができる。半円形受け部１２に対し半円形抑え具１３は着脱が容易な複数のネジ１６で固定される。
【００１０】
支軸７は、図４ロ、図７或いは図８に示すように、軸本体１７が頑丈な丸鋼棒の軸であって、両端にベアリング１８が回転自在に取り付けられている。ベアリング１８はボルト１９に固定されていて、図７のように、ボルト１９を軸本体１７にねじ込み固定することで軸本体１７に取り付けられる。この実施例では、軸本体１７の表面に弾性体として合成ゴムのチューブ２０が嵌め込まれている。なお、チューブ２０の表面にはネットベルト８の網目に係合する突起２１が多数形成されている。ただし、この突起２１はなくてもネットベルト８とチューブ２０の接触係合は良好な場合がある。
この構成であると、支軸７とネットベルト８の接触は金属と弾性体となり、ネットベルト８が回転する時の騒音がほとんど無い。
【００１１】
ネットベルト８は、図８，９のように、ステンレス細線のコイル状成形品２２を軸方向を平行にして重ね、重合部分に回動時の軸となる軸線２３を通して編み込んだもので、市販されているものを利用する。このようなネットベルト８は、回動方向での屈曲性に富む。また、汚れてもすぐに洗い流すことができる。動力で駆動される通常のネットベルトはスプロケットと係合するためのチェーンなどを備えているが、滑り補助具５の場合は、かご２を引き寄せる際に軽く移動すればよいだけなので、支軸７とネットベルト８との係合は正確なものでなくてよい。なお、ネットベルト８は支軸７の弾性体に接触するので支軸７とネットベルト８との馴染みがよく、ネットベルト７の移動がスムーズである。
【００１２】
ネットベルト８の内側空間に２０本の支軸７を入れ、それぞれ両端のベアリング１８を支持部材６の左右側壁に設けた半円形受け部１２に載置する。ついで、半円形抑え具１３を上方からベアリング１８にかぶせ、ネジ１６で支持部材６に固定する。このとき、半円形抑え具１３の内側に突出させてある爪１５をベアリング１８の内側面に係合させる。これで滑り補助具５は完成する。レジカウンタ１の天板４には傾斜した低い側をバーコードリーダー３側として載置する。滑り補助具５が移動しないように軽くネジ止めすることが好ましい。
【００１３】
客は買い上げ商品を入れたかご２をレジカウンタ１のＡ個所で滑り補助具５のネットベルト８上に載置する。従業員はこのかご２を手元へ引き寄せることになるが、かご２はネットベルト８とともに各支軸７を回動しながら移動するので、摩擦抵抗は主として各ベアリング分だけとなり、従来に比べ格段に軽く引き寄せることができる。すなわち、ネットベルト８に対するかご２の荷重はネットベルト８下面に位置する複数の支軸７で支持され、且つ、それぞれの支軸７は両端のベアリング１８で軽く回転できるので、ネットベルト８は軽く移動できる。
【００１４】
Ｂ箇所のかご２から商品を取り出し、Ｃ個所のかご２へ移動させる際に、野菜の葉がちぎれたり、汁物の汁がネットベルト８上に落下するなどして滑り補助具５は次第に汚れてくるが、汚れが目立つようになったら、左右の半円形抑え具１３を固定しているネジ１６をはずして、支軸７、ネットベルト８を支持部材６からはずし、支持部材６の内部ともども簡単に洗滌することができる。この作業はネジ１６を外すだけで滑り補助具５を一挙に分解できるから、簡単に行える。
【００１５】
〔実施例２〕
実施例１では支軸７の直径を全部同じ直径とし、これらを支持部材６の傾斜した左右側壁９，１０へ取り付けることで、ネットベルト８の上面を前方から後方へ傾斜させたが、ネットベルト８の上面を前方から後方へ傾斜させるには図１０のように、複数の支軸７の直径を前方から後方へ順次小さくしたものを採用しても達成することができる。
〔実施例３〕
実施例１の支軸７は左右両端にベアリング１８を備えて前後どちらの方向にも回転自在となっているが、支軸７の本体１７と支持部材６との間に一方向クラッチを取り付けて、ネットベルト８の上面（載置面）は前方から後方へのみ移動できるようにしても良い。買い上げ商品を入れたかご２の移動が安定する。
【００１６】
以上、実施例について説明した。ネットベルト８には市販されている種々のものを採用できる。柔らかく、回転方向での屈曲性に富むものが好ましい。荷重の偏りのためにネットベルト８が左右いずれかに偏って移動する傾向が生じるのを抑制するために、幾つかの支軸７の表面にはネットベルト８の網目に入り込む剛性の刺を形成しておくこともよい。
半円形抑え具１３を支持部材６へ固定する手段として、ネジ１６を用いているが、固定手段としてはクリップなど、さらに簡便な手段を用いることもできる。
支軸７にベアリング１８を取り付ける構造はボルト１９によるばかりでなく、支軸７の本体１７へ直接に取り付けるなど、他の構成も用いることができる。
【図面の簡単な説明】
【００１７】
【図１】従来のレジカウンタの概略斜視図。
【図２】この考案によるレジカウンタの概略斜視図。
【図３】滑り補助具（実施例１）の斜視図。
【図４】滑り補助具（実施例１）を分解して示す斜視図。
【図５】要部を拡大して示す斜視図。
【図６】半円形部の正面図。
【図７】支軸取り付け部を拡大して示す断面図。
【図８】端部の支軸とネットベルトの係合状態を示す斜視図。
【図９】ネットを構成している要素を説明する斜視図。
【図１０】要部を示す斜視図（第２の実施例）。
【符号の説明】
【００１８】
１  レジカウンタ
２  買い物かご（かご）
３  バーコードリーダー
４  カウンタ天板
５  滑り補助具
６  支持部材
７  支軸
８  ネットベルト
９  左側壁
１０  右側壁
１１  抜き孔
１２  半円形受け部
１３  半円形抑え具
１４  半円形部
１５  爪
１６  ネジ
１７  支軸の本体
１８  ベアリング
１９  ボルト
２０  チューブ
２１  突起
２２  コイル状成形品
２３  軸線
【図１】
0003116213.tif 000003
【図２】
0003116213.tif 000004
【図３】
0003116213.tif 000005
【図４】
0003116213.tif 000006
【図５】
0003116213.tif 000007
【図６】
0003116213.tif 000008
【図７】
0003116213.tif 000009
【図８】
0003116213.tif 000010
【図９】
0003116213.tif 000011
【図１０】
0003116213.tif 000012